(57)【要約】【課題】電線や電気機能部品などの配置の自由度を高めた照明器具を提供する。【解決手段】照明器具Ａは、器具本体１と、器具本体１に着脱自在に取り付けられる光源ユニット２とを備える。光源ユニット２は、複数のＬＥＤ２２２が実装されたＬＥＤ基板２２と、ＬＥＤ基板２２を器具本体１に取り付けるための取付部材２１と、複数のＬＥＤ２２２に点灯電力を供給する電源装置２４とを有する。取付部材２１は、長尺且つ矩形板状に形成された底面部２１１と、底面部２１１の幅方向における両側から底面部２１１と直交する方向に突出する一対の側面部２１２とで形成される。電源装置２４は、電源基板２４１と、電源基板２４１を収納するための収納ケース２４２とを有し、収納ケース２４２は、少なくとも一方の側面部２１２に取り付けられて、底面部２１１と一対の側面部２１２とで囲まれる空間に少なくとも一部が配置される。【選択図】図１
2014078425.tif 000002
【特許請求の範囲】
【請求項１】
長尺状に形成された器具本体と、前記器具本体に対して着脱自在に取り付けられる光源ユニットとを備え、
前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、
前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する一対の側面部とで形成されており、
前記電源装置は、少なくとも前記点灯電力を生成するための回路部品が実装された電源基板と、前記電源基板を収納するための収納ケースとを有し、
前記収納ケースは、少なくとも一方の前記側面部に取り付けられて、前記底面部と一対の前記側面部とで囲まれる空間に少なくとも一部が配置されることを特徴とする照明器具。
【請求項２】
前記収納ケースは、両方の前記側面部に取り付けられることを特徴とする請求項１記載の照明器具。
【請求項３】
前記収納ケースは、前記取付部材に取り付けた状態で前記底面部と対向する一面が開口した矩形箱状の収納部と、前記収納部の開口端縁から前記底面部の幅方向に沿って延出する第１延出部、前記第１延出部の先端から前記第１延出部に対して前記底面部と反対側で且つ前記第１延出部と交差する方向に延出する第２延出部、及び前記第２延出部と対向する前記収納部の側面部で囲まれる空間からなる溝部とを有していることを特徴とする請求項１又は２記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、係止部材を用いて器具本体に取り付けられる光源部と、光源部に点灯電力を供給する点灯装置とを備え、器具本体の略中央部には光源部を収容するための収容凹部が全長に亘って設けられている。また光源部は、横長且つ長尺状に形成された取付部材と、複数の発光素子がそれぞれ実装され取付部材の下面に並べて取り付けられる複数の基板と、複数の基板を覆うようにして取付部材に取り付けられるカバー部材とを有する。そして、一体に組み付けられた光源部は、その一部が器具本体の収容凹部に収容された状態で係止部材を用いて器具本体に取り付けられる。
【先行技術文献】
【特許文献】
【０００３】
【特許文献１】特開２０１２−３９９３号公報
【発明の概要】
【発明が解決しようとする課題】
【０００４】
上述の特許文献１に示した照明器具では、器具本体に設けられた収容凹部の底面に点灯装置が取り付けられているが、例えばこの点灯装置を取付部材に取り付ける場合には取付部材の上面（上記基板が取り付けられる面と反対側の面）に取り付けるのが一般的である。しかしながら、取付部材の中央部に点灯装置を取り付けた場合には、点灯装置の両側にスペースができるものの、このスペースに配置される電線や電気機能部品の大きさによっては上記スペースに配置できない場合があった。
【０００５】
本発明は上記問題点に鑑みて為されたものであり、その目的とするところは、電線や電気機能部品などの配置の自由度を高めた照明器具を提供することにある。
【課題を解決するための手段】
【０００６】
本発明の照明器具は、長尺状に形成された器具本体と、器具本体に対して着脱自在に取り付けられる光源ユニットとを備える。光源ユニットは、複数のＬＥＤが実装されたＬＥＤ基板と、複数のＬＥＤが器具本体と反対側を向くようにしてＬＥＤ基板を器具本体に取り付けるための取付部材と、複数のＬＥＤに点灯電力を供給する電源装置とを有する。取付部材は、長尺且つ矩形板状に形成され一面にＬＥＤ基板が取り付けられる底面部と、底面部の幅方向における両側から底面部に対してＬＥＤ基板と反対側で且つ底面部と交差する方向に突出する一対の側面部とで形成されている。電源装置は、少なくとも点灯電力を生成するための回路部品が実装された電源基板と、電源基板を収納するための収納ケースとを有する。そして、収納ケースは、少なくとも一方の側面部に取り付けられて、底面部と一対の側面部とで囲まれる空間に少なくとも一部が配置される。
【０００７】
この照明器具において、収納ケースは、両方の側面部に取り付けられるのが好ましい。
【０００８】
また、この照明器具において、収納ケースは、取付部材に取り付けた状態で底面部と対向する一面が開口した矩形箱状の収納部と、収納部の開口端縁から底面部の幅方向に沿って延出する第１延出部、第１延出部の先端から第１延出部に対して底面部と反対側で且つ第１延出部と交差する方向に延出する第２延出部、及び第２延出部と対向する収納部の側面部で囲まれる空間からなる溝部とを有しているのも好ましい。
【発明の効果】
【０００９】
取付部材の側面部に電源装置を取り付けているので、底面部の中央部に電源装置を取り付けた場合に比べて大きなスペースを確保することができ、これにより比較的大きい電線や電気機能部品などを上記スペースに配置することができることから、電線や電気機能部品の配置の自由度を高めることができるという効果がある。
【図面の簡単な説明】
【００１０】
【図１】（ａ）は本実施形態の照明器具の一例を示す分解斜視図、（ｂ）は同上に用いられる取付部材の要部拡大図である。
【図２】同上の全体斜視図である。
【図３】同上から光源ユニットを取り外した状態の斜視図である。
【図４】同上の断面図である。
【図５】同上に用いられる取付部材に電源装置を取り付けた状態の一例を示し、（ａ）は上側から見た斜視図、（ｂ）は下側から見た斜視図である。
【図６】同上に用いられる取付部材に電源装置を取り付けた状態の一例を示し、（ａ）は右側面図、（ｂ）は上面図、（ｃ）は左側面図である。
【図７】同上に用いられる取付部材に電源装置を取り付けた状態の別の例を示し、（ａ）は右側面図、（ｂ）は上面図、（ｃ）は左側面図である。
【図８】同上の別の例を示す断面図である。
【発明を実施するための形態】
【００１１】
以下に、照明器具Ａの実施形態について図１〜図８を参照して説明する。なお、以下の説明では特に断りがない限り、図４に示す向きにおいて上下左右の方向を規定し、さらに図４中の紙面に垂直な方向を前後方向と規定して説明を行う。
【００１２】
本実施形態の照明器具Ａは、図１〜図４に示すように、天井直付け型の照明器具であり、吊ボルト２００（図４参照）を用いて天井材１００に取り付けられる器具本体１と、器具本体１に対して着脱自在に取り付けられる光源ユニット２とを備える。
【００１３】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。また、収容凹部１１の底面部１１１には、電線を通すための孔１１１ａが前後方向（長手方向）に沿って複数（図１では５個）設けられており、さらに前後方向における両端寄りの位置に吊ボルト２００を通すための孔１１１ｂがそれぞれ２個ずつ設けられている。さらに、器具本体１の前後方向における両端部には、図１〜図３に示すように、エンドキャップ３がそれぞれ取り付けられている。
【００１４】
光源ユニット２は、図１に示すように、複数（図１では２個）のＬＥＤ基板２２と、ＬＥＤ基板２２が取り付けられる取付部材２１と、ＬＥＤ基板２２を覆うようにして取付部材２１に取り付けられるカバー部材２３と、ＬＥＤ基板２２に所定の点灯電力を供給する電源装置２４と、端子台ブロック２５とを有する。
【００１５】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図１中の右側）のＬＥＤ基板２２の一端部（右端部）には、電源装置２４との間を電気的に接続するためのコネクタ２２３が実装されている。このコネクタ２２３には電線（図示せず）が接続されており、この電線の端部を電源装置２４に接続することでＬＥＤ基板２２と電源装置２４とが電気的に接続される。また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図１中の右側）のＬＥＤ基板２２から他方（図１中の左側）のＬＥＤ基板２２に電源を供給することができる。
【００１６】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図４に示すように、互いに離れる方向に傾斜する傾斜部２１２ａがそれぞれ全長に亘って設けられている。底面部２１１の前後方向（長手方向）における一端部（図１中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。さらに、各側面部２１２には、図１（ｂ）に示すように、側面部２１２の一部を切り欠くことで形成された係止爪２１２ｂがそれぞれ２個ずつ設けられている。なお、上述したＬＥＤ基板２２は、取付部材２１の底面部２１１の一部を切り起こすことで形成された係止爪２１１ｃ（図５（ａ）参照）により取付部材２１の底面部２１１に固定される。
【００１７】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図４参照）。また、カバー部材２３の左右方向における両端部には、図４に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００１８】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。収納ケース２４２は、図４に示すように、一面（取付部材２１の底面部２１１との対向面）が開口し且つ前後方向に長い矩形箱状の収納部２４２ａと、収納部２４２ａの開口端縁から側方（図４中の左側）に延出する第１延出部２４２ｂ、第１延出部２４２ｂの先端から上側（器具本体１側）に延出する第２延出部２４２ｃ、及び第２延出部２４２ｃと対向する収納部２４２ａの側面部２４２ｄで囲まれる空間からなる溝部２４２ｅとを有する。この溝部２４２ｅは、端子台ブロック２５から電源装置２４への電線や、電源装置２４からＬＥＤ基板２２への電線、隣接する照明器具Ａへの送り電線などを通すための配線スペースとして利用されたり、電気機能部品を配置するために利用される。ここに、電気機能部品とは、電源と負荷（本実施形態ではＬＥＤ２２２）との間の電気回路を構成する部品のことであり、例えば端子台などが挙げられる。また、収納部２４２ａにおいて側面部２４２ｄと対向する側面部２４２ｈには、図５（ａ）及び図５（ｂ）に示すように矩形の取付片２４２ｆが前後両側に設けられており、各取付片２４２ｆには矩形の開口部２４２ｇがそれぞれ設けられている。さらに、収納部２４２ａの側面部２４２ｄと対向する第２延出部２４２ｃにも、前後方向における両端寄りの位置に矩形の開口部２４２ｇが設けられている。そして、この電源装置２４は、取付部材２１の底面部２１１と両側面部２１２，２１２とで囲まれる空間からなる収容部２１３に少なくとも一部が収容された状態で取付部材２１に取り付けられる。なお、取付方法については後述する。
【００１９】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００２０】
ここで、図５及び図６は電源装置２４を取付部材２１に取り付けた状態の一例を示しており、以下に取付手順について説明する。まず最初に、作業者は、収納部２４２ａの開口側を取付部材２１側に向けた状態で電源装置２４を取付部材２１の収容部２１３に配置する。このとき、作業者は、取付部材２１の各側面部２１２に設けた係止爪２１２ｂの位置と、電源装置２４の各取付片２４２ｆ及び第２延出部２４２ｃに設けた開口部２４２ｇの位置をそれぞれ合わせる。そして、作業者が、すべての係止爪２１２ｂを開口部２４２ｇを通して内側に折り曲げると、各係止爪２１２ｂがそれぞれ対応する開口部２４２ｇの開口端縁に係止されて、電源装置２４が取付部材２１に取り付けられる。このように、電源装置２４を両側面部２１２，２１２に取り付けた場合には、取付部材２１に対して電源装置２４を強固に取り付けることができる。
【００２１】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、係止爪２１１ｃによりＬＥＤ基板２２を取付部材２１の底面部２１１に固定し、さらにＬＥＤ基板２２のコネクタ２２３から導出する電線を取付部材２１の底面部２１１に設けた孔２１１ａに通した後、その端部を電源装置２４に接続する。そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。なお、カバー部材２３を取付部材２１に取り付ける上記方法は一例であり、他の方法であってもよい。
【００２２】
続けて、照明器具Ａの施工手順について説明する。まず最初に、作業者は、室内側に露出する上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。その後、作業者は、上記電源線を端子台２５１に接続し、少なくとも電源装置２４及び端子台ブロック２５が収容凹部１１に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される。
【００２３】
図７（ａ）〜図７（ｃ）は電源装置２４を取付部材２１に取り付けた状態の別の例を示している。図６（ａ）〜図６（ｃ）では、電源装置２４を取付部材２１の両側面部２１２，２１２に取り付けたが、本例では、電源装置２４を片方の側面部２１２のみに取り付けている。本例の電源装置２４には、第１延出部２４２ｂ及び第２延出部２４２ｃが設けられておらず、収納部２４２ａに一体に設けられた取付片２４２ｆ，２４２ｆにより取付部材２１に取り付けられる。つまり、作業者が、取付部材２１の側面部２１２に設けた各係止爪２１２ｂの位置と、電源装置２４の各取付片２４２ｆに設けた開口部２４２ｇの位置を合わせた状態で電源装置２４を取付部材２１の収容部２１３に配置し、すべての係止爪２１２ｂを開口部２４２ｇを通して内側に折り曲げると、電源装置２４が取付部材２１に取り付けられる。
【００２４】
而して本実施形態によれば、取付部材２１の側面部２１２に電源装置２４を取り付けているので、底面部２１１の中央部に電源装置２４を取り付けた場合に比べて大きなスペースを確保することができる。これにより、比較的大きい電線や電気機能部品などを上記スペースに配置することができることから、電線や電気機能部品の配置の自由度を高めることができる。また、本実施形態のように取付部材２１の底面部２１１に接触しないようにして収納ケース２４２を側面部２１２に取り付けた場合には、ＬＥＤ基板２２から電源装置２４への熱移動及び電源装置２４からＬＥＤ基板２２への熱移動を抑えることができる。さらに、端子台ブロック２５から電源装置２４への電線や、電源装置２４からＬＥＤ基板２２への電線、隣接する照明器具Ａへの送り電線などを通すための配線スペースとして溝部２４２ｅを利用することで、配線スペースを別に設けなくてもよく、コストアップを抑えることができる。また、例えば取付ねじを用いてＬＥＤ基板２２を底面部２１１に取り付けた場合、電源装置２４を底面部２１１に取り付けようとすると、取付部材２１の長手方向において上記取付ねじと干渉しない位置に取り付けなければならず、取り付けの自由度は低い。これに対して、電源装置２４を側面部２１２に取り付けた場合には、取付部材２１の長手方向において上記取付ねじと干渉する位置であっても取り付けることができ、取り付けの自由度を高めることができる。
【００２５】
図８は本実施形態の照明器具Ａの別の例を示す断面図である。上述の実施例では、天井材１００に取り付けられる天井直付け型の照明器具について説明したが、本例のように、天井材１００に設けた埋込孔１００ａを通して天井裏に埋込配設される天井埋込型の照明器具であってもよい。
【００２６】
本例の照明器具Ａは、吊ボルト（図示せず）を用いて天井裏に配設される支持部材４と、支持部材４に取り付けられる反射板５と、反射板５に対して着脱自在に取り付けられる光源ユニット２とを備える。なお、光源ユニット２については上述の実施例と同様であり、ここでは説明を省略する。
【００２７】
反射板５は、板金に曲げ加工を施すことで長尺且つ下面が開口する扁平な箱状に形成され、反射板５の底面部には、光源ユニット２を収容するための矩形の収容凹部５１が反射板５の全長に亘って設けられている。また、反射板５の開口端縁には、側方に延出する鍔部５２が全周に亘って設けられており、天井裏に配設された支持部材４に反射板５を取り付けた状態では、鍔部５２が天井材１００の下面に当接する（図８参照）。ここに本例では、反射板５により器具本体が構成されている。
【００２８】
次に、照明器具Ａの施工手順について説明する。まず最初に、作業者は、天井材１００に設けた埋込孔１００ａを通して支持部材４を天井裏に配設し、天井裏に設けた吊ボルト（図示せず）に支持部材４を取り付ける。その後、作業者は、天井裏に配線された電源線（図示せず）を反射板５の収容凹部５１に設けた孔（図示せず）を通して室内側（下側）に引き出し、例えばねじなどを用いて反射板５を支持部材４に取り付ける。そして最後に、作業者は、上記電源線を端子台ブロック（図示せず）に接続し、少なくとも電源装置２４及び端子台ブロックが収容凹部５１に収容されるようにして、例えば反射板５及び取付部材２１にそれぞれ設けた嵌合構造（図示せず）により光源ユニット２を反射板５に取り付ける。以上のような手順に従って、照明器具Ａが天井裏に埋込配設される。
【００２９】
而して本例においても、図５〜図７に示した取付部材２１を用いて、電源装置２４を取付部材２１の側面部２１２に取り付けた場合には、底面部２１１の中央部に電源装置２４を取り付けた場合に比べて大きなスペースを確保することができる。これにより、比較的大きい電線や電気機能部品などを上記スペースに配置することができることから、電線や電気機能部品の配置の自由度を高めることができる。
【００３０】
なお、図７（ａ）〜図７（ｃ）に示すように、電源装置２４を片方の側面部２１２のみに取り付けた場合でも反対側に溝部を設けてもよい。また、溝部の形状についても一例であり、電線や電気機能部品などが収納できるようになっていれば他の形状でもよい。さらに本実施形態では、取付部材２１の底面部２１１に接触しないようにして電源装置２４の収納ケース２４２を側面部２１２に取り付けているが、熱の影響を考慮しなくてもいいのであれば、底面部２１１に接触するようにして収納ケース２４２を側面部２１２に取り付けてもよい。
【符号の説明】
【００３１】
１  器具本体
２  光源ユニット
２１  取付部材
２２  ＬＥＤ基板
２４  電源装置
２１１  底面部
２１２  側面部
２２２  ＬＥＤ
２４１  電源基板
２４２  収納ケース
Ａ  照明器具
【図１】
2014078425.tif 000003
【図２】
2014078425.tif 000004
【図３】
2014078425.tif 000005
【図４】
2014078425.tif 000006
【図５】
2014078425.tif 000007
【図６】
2014078425.tif 000008
【図７】
2014078425.tif 000009
【図８】
2014078425.tif 000010